(57)【要約】【課題】過剰な木材の使用を抑制し、森林保護に貢献する。【解決手段】本発明は、筒状の胴部１１の両端にそれぞれ打面部１２，１３を備えた太鼓１０であって、胴部１１は、竹の集成材により構成されていることを特徴とし、該集成材は、竹の外側の硬質部分のみからなるチップを圧着して形成され、胴部１１は、該集成材から形成した多数の湾曲した側板を並設させて形成され、胴部１１の内側中央部分には、全周に亘ってフェルト生地から成る吸音材１４が貼付され、胴部１１の内側には、中央部分から両端に掛けて凹凸面１５が形成されているのが好ましい。【選択図】図１
2016053668.tif 000002
【特許請求の範囲】
【請求項１】
筒状の胴部の両端にそれぞれ打面部を備えた太鼓であって、
前記胴部は、竹の集成材により構成されていることを特徴とする太鼓。
【請求項２】
前記集成材は、竹の外側の硬質部分のみからなるチップを圧着して形成され、前記胴部は、該集成材から形成した多数の湾曲した側板を並設して形成されることを特徴とする請求項１に記載の太鼓。
【請求項３】
前記胴部の内側中央部分には、全周に亘ってフェルト生地から成る吸音材が貼付されていることを特徴とする請求項１又は２に記載の太鼓。
【請求項４】
前記胴部の内側には、中央部分から両端に掛けて凹凸面が形成されていることを特徴とする請求項３に記載の太鼓。
【発明の詳細な説明】
【技術分野】
【０００１】
本発明は、和太鼓、大太鼓、小太鼓等の太鼓に関し、特に、胴部が竹の集成材により形成される太鼓に関する。
【背景技術】
【０００２】
日本古来の伝統的な打楽器として、和太鼓等の太鼓が広く知られている。
【０００３】
従来の太鼓は、筒状の胴部の両端に皮から成る打面部を張設することによって構成されている。従来、太鼓の胴部は１本の巨木を刳り貫いて形成されていたが、近年、教育現場などで普及している太鼓は、多数枚の側板を並設して形成される集成胴が主流となっている（例えば、特許文献１又は２参照）。
【先行技術文献】
【特許文献】
【０００４】
【特許文献１】特開２００５−３００７４７号公報
【特許文献２】特開２０１０−７８６６１号公報
【発明の概要】
【発明が解決しようとする課題】
【０００５】
しかしながら、上記した従来の刳り貫き胴や集成胴のいずれの胴部を備えた太鼓であっても、多くの木材を使用することに変わりがないため、森林保護の観点からは好ましくない。
【０００６】
本発明は、上記した課題を解決すべくなされたものであり、過剰な木材の使用を抑制し、森林保護に貢献することのできる太鼓を提供することを目的とするものである。
【課題を解決するための手段】
【０００７】
上記した目的を達成するため、本発明は、筒状の胴部の両端にそれぞれ打面部を備えた太鼓であって、前記胴部は、竹の集成材により構成されていることを特徴とする。
【０００８】
また、本発明に係る太鼓において、前記集成材は、竹の外側の硬質部分のみからなるチップを圧着して形成され、前記胴部は、該集成材から形成した多数の湾曲した側板を並設して形成されることを特徴とする。
【０００９】
また、本発明に係る太鼓において、前記胴部の内側中央部分には、全周に亘ってフェルト生地から成る吸音材が貼付されているのが好ましい。
【００１０】
さらに、本発明に係る太鼓において、前記胴部の内側には、中央部分から両端に掛けて凹凸面が形成されているのが好ましい。
【発明の効果】
【００１１】
本発明によれば、過剰な木材の使用を抑制し、森林保護に貢献することができる等、種々の優れた効果を得ることができる。
【図面の簡単な説明】
【００１２】
【図１】本発明の実施の形態に係る太鼓を示す断面図である。
【発明を実施するための形態】
【００１３】
以下、図面を参照しつつ、本発明の実施の形態について説明する。ここで、図１は本発明の実施の形態に係る太鼓１０を示す断面図である。
【００１４】
図１に示されているように、本実施の形態に係る太鼓１０は、長胴太鼓であり、中央部分が膨らんだ円筒状の胴部１１と、胴部１１の両端にそれぞれ設けられる打面部１２，１３と、を備えて構成されている。
【００１５】
胴部１１は、竹の集成材により構成されている。この集成材は、竹の外側の硬質部分のみを、例えば、７ｍｍ×２０ｍｍ×５００〜１０００ｍｍ程度に短く裁断した直方体のチップを幾重にも重ね合せて圧着して形成された角材であり、胴部１１は、この集成材から形成した多数の湾曲した側板を並設して形成される。このように、胴部１１に木材の代わりに竹材を使用することで、過剰な木材の使用を抑制し、森林保護に貢献することができる。また、短く裁断した竹のチップを重ね合せて圧着した竹の集成材を加工することで、胴部１１が乾燥によって、割れたり、反ったりするのを防止することができる。
【００１６】
胴部１１の内側中央部分には、全周に亘って所定幅のフェルト生地から成る吸音材１４が貼付されている。例えば、太鼓１０のサイズを１尺５寸（鼓面直径が４５０ｍｍ、胴部１１の膨らみ部分の直径が５７０ｍｍ、胴部１１の長さが５７０ｍｍ）とした場合、吸音材１４の幅Ｌは１００ｍｍ程度とするのが好ましい。この吸音材１４により、胴部１１における特に高音域での反響音を適度に吸収することができるため、竹製であっても木製と同等の反響音を実現することができる。
【００１７】
また、胴部１１の内側には、中央部分から両端に掛けて波のように凹凸面１５が形成されているのが好ましい。この凹凸面１５により、胴部１１内での反響を適度に調整することができ、木製の刳り貫き胴の太鼓に近いまろやかな反響音を実現することができる。
【００１８】
打面部１２，１３は、皮により構成され、胴部１１の開口端を閉塞するように胴部１１の端部に鋲等によって固定されている。
【００１９】
このように上記した本発明の実施の形態に係る太鼓１０によれば、胴部１１に木材の代わりに竹材を使用することで、過剰な木材の使用を抑制し、森林保護に貢献することができる。また、竹材は、本来、筒状を成しているため他の木材のように板状に加工することが難しく、さらに、密度の高い材質のため音色にも悪影響を及ぼすといった課題を有しているが、本発明の実施の形態に係る太鼓１０によれば、これらの課題を解決することができ、木製の太鼓１０と同等の音色を実現することができる。
【００２０】
なお、上記した本発明の実施の形態では、長胴太鼓を例にとって説明しているが、平胴太鼓や締太鼓等、他の種類の太鼓に本発明を適用することも可能である。また、上記した太鼓１０の寸法は、単なる例示に過ぎず、これらの寸法に限定する趣旨ではなく、各種変更が可能である。さらに、太鼓１０の胴部１１だけではなく、太鼓１０を載せる台類にも竹の集成材を使用することもできる。
【００２１】
また、上記した本発明の実施の形態の説明は、本発明に係る太鼓における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の各実施形態における構成要素は適宜、既存の構成要素等との置き換えが可能であり、且つ、他の既存の構成要素との組合せを含む様々なバリエーションが可能であり、上記した本発明の各実施形態の記載をもって、特許請求の範囲に記載された発明の内容を限定するものではない。
【符号の説明】
【００２２】
１０    太鼓
１１    胴部
１２，１３    打面部
１４    吸音材
１５    凹凸面
【図１】
2016053668.tif 000003